(57)【特許請求の範囲】
【請求項１】
表糸として通常の伸縮性を有するししゅう糸を用い、一方、裏糸としてししゅうする時には伸縮性が抑制され、その後の染色整理加工時の処理によって伸縮性を発揮するししゅう糸を用いた伸縮性を有するレース生地と、ししゅう糸を表糸および裏糸として所望のパターンでししゅうすることによって形成される模様部分から成り、前記表糸がレース生地の表側から所望のパターンに基づいてししゅう針で挿入され、それによってレース生地の表側で所定の方向で延びると共にレース生地の裏側にループを形成しており、前記裏糸が前記レース生地の裏側において前記表糸のループを本縫い構造で拘束し、それによってレース生地の表側に表糸による模様を固定しており、前記模様部分はそれぞれが任意の形状の軸線を有する単位模様の連続集合体として形成されており、且つ前記単位模様が前記表糸及び裏糸のそれぞれについて単位模様の芯部を形成するように移動しながら前記軸線に沿って延びる下糸部分と、該下糸部分をおおうように反復移動しながら前記芯部形成時の方向と逆方向に延びて単位模様の表面部を形成する上糸部分で構成されている伸縮性を有するエンブロイダリーレースにおいて、
前記下糸部分が前記単位模様の軸線を横切るようにジグザグ形状に配置されていることを特徴とする伸縮性を有するエンブロイダリーレース。
【請求項２】
合成繊維マルチフィラメントとポリウレタン糸を用いてエンブロイダリーレースのレース生地用パワーネットを編成してエンブロイダリーレース機に仕掛け、該エンブロイダリーレース機に通常の伸縮性を有するししゅう糸を表糸として供給し、一方ししゅうする時には伸縮性が抑制され、その後の染色整理加工時の処理によって伸縮性を発現するししゅう糸を裏糸として供給し、所望のパターンに基づいて、複数の単位模様の連続集合体である模様部分をししゅうし、該ししゅう工程において、単位模様をししゅうする際に表糸及び裏糸のそれぞれについて前記単位模様の軸線を横切るようにジグザグ形状に移動させながら単位模様の一端から他端に向けて単位模様の芯部となる下糸部分を形成させ、ついで該下糸部分をおおうように所望のパターンに基づいて表糸及び裏糸を移動させながら前記下糸部分形成時とは逆の方向で単位模様の前記他端から前記当初の一端に向けて単位模様の表面部となる上糸部分を形成させて１単位の単位模様をししゅうし、該単位模様のししゅうを所望のパターンに基づいて所定の個数形成してししゅう生地を作成し、該ししゅう生地に所望の染色整理を施して裏糸に伸縮性を発現させることを特徴とする伸縮性を有するエンブロイダリーレースの製造方法。
【発明の詳細な説明】
【０００１】
【発明の属する技術分野】
本発明は伸縮性を有するエンブロイダリーレースとその製造方法に関する。より詳しくは、エンブロイダリーレースはレース生地に対してししゅう糸を所望のパターンでししゅうして模様部分を形成することによって得られるが、前記レース生地が伸縮性を有すると共に、前記模様部分も又レース生地の伸縮性に実質的に匹敵した伸縮性を有するエンブロイダリーレースとその製造方法に関する。
【０００２】
【従来の技術】
ブラジャー、ランジェリー等婦人用下着にはエンブロイダリーレースが広く用いられている。婦人用下着に用いられるエンブロイダリーレースは人体とのフィット性の向上のために伸縮性が要望される。そこでエンブロイダリーレースに伸縮性を与えるために各種の試みがなされている。すなわち、例えばパワーネットの如き組織の伸縮性経編地をレース生地に用いることによって、エンブロイダリーレースの生地自体に伸縮性を付与している。しかしこれだけでは伸縮性のないししゅう糸によってレース生地上に形成される模様部分が生地自体の伸縮性を抑制するので、ブラジャー、ランジェリー等婦人用下着として要求される大きさの伸縮性を有するエンブロイダリーレースを得ることができない。
【０００３】
そこでししゅうする時には伸縮性が抑制され、その後の染色整理加工時の処理によって伸縮性を発現する糸をししゅう糸として用い、それによって模様部分に伸縮性を与えることが試みられている。なおエンブロイダリーレースの模様は、２本のししゅう糸を表糸と裏糸として用いてレース生地に本縫いすることによって形成されるものであり、その際ししゅう糸が伸縮性を有すると本縫によるループを形成することができないので、前述のようにししゅうする時には伸縮性が抑制され、その後の処理によって伸縮性を発現する糸（以下潜在伸縮糸と称する）を用いることになる。
この種潜在伸縮糸の一例として水溶性繊維糸に弛緩状態の伸縮弾性糸をドラフトすることなく引揃え、その上に非水溶性繊維糸をスパイラル状に巻付ける糸が特開平２−１４０６１号公報に開示されている。この潜在伸縮糸の場合レース生地にししゅうして模様を形成させた後、温水で処理すれば水溶性繊維糸が溶解して、模様を形成するししゅう糸が生地の伸縮に対応し伸縮することができるようになる。
【０００４】
【発明が解決しようとする課題】
前述のようにししゅう糸全体に潜在伸縮糸を用いればレース生地部分および模様部分全体が共に優れた伸縮性を有するエンブロイダリーレースが得られる。しかしながら潜在伸縮糸は通常のししゅう糸に比し非常に高価であって、数倍の価格で供給されている。したがってレース生地部分および模様部分全体が共に優れた伸縮性を有するエンブロイダリーレースは性能自体は好ましいものであっても製品価格が高価になりすぎて到底大量消費の製品には使用することができない。そこで次善の策として模様部分の内糸重量で全体の約８０％を占める表糸に通常の伸縮性を有するししゅう糸を用い、糸重量で約２０％の裏糸に前記潜在伸縮糸を用いることによって相当程度に伸縮性を確保したエンブロイダリーレースが使用されている。このようなエンブロイダリーレースでは伸縮性を有しない表糸が伸縮性を有するレース生地を貫通してループを形成し、このループを本縫い構造で潜在伸縮性を有する裏糸によって拘束するのでこのレースを染色整理した後では、レースはレース生地と模様部分の裏糸の伸縮性によって用途によっては実用可能な程度の伸縮性を有すると共に価格的にも実用可能な範囲に収まったエンブロイダリーレースが得られる。
【０００５】
前述のエンブロイダリーレースは実用的な範囲の伸縮性を有し、且つ実用可能な範囲の価格に収まるものである。併しこのエンブロイダリーレースは模様部分において部分的に伸縮性に方向性を有すること、すなわち模様の各部分毎に特定方向での伸びがいちゞるしく小さいという問題点を有すること及び製品によっては少くとも１．７倍の伸縮性が要求されるという製品の高級化には対応できないという問題点を有する。
そこで本発明は潜在伸縮糸の如く高価なししゅう糸の使用を極力少くして価格の上昇を防ぐと共に模様部分中の特定方向での伸びにくさを解消し、且つより伸縮性を高めることができるエンブロイダリーレースとその製造方法を提供することを目的とする。
【０００６】
【課題を解決するための手段】
本発明の前述の課題は、伸縮性を有するレース生地と該レース生地にししゅう糸を表糸および裏糸として所望のパターンでししゅうすることによって形成される模様部分から成り、前記表糸がレース生地の表側から所望のパターンに基づいてししゅう針で挿入され、それによってレース生地の表側で所定の方向で延びると共にレース生地の裏側にループを形成しており、前記裏糸が前記レース生地の裏側において前記表糸のループを本縫い構造で拘束し、それによってレース生地の表側に表糸による模様を固定しており、前記模様部分はそれぞれが任意の形状を有する単位模様の連続集合体として形成されており、且つ前記単位模様が前記表示及び裏糸のそれぞれについて単位模様の芯部を形成するように移動しながら前記軸線に沿って延びる下糸部分と、該下糸部分をおおうように反復移動しながら前記芯部形成時の方向と逆方向に延びて単位模様の表面部を形成する上糸部分で構成されている伸縮性を有するエンブロイダリーレースであって、前記下糸部分が前記単位模様の軸線を横切るようにジグザグ形状に配置されていることを特徴とするエンブロイダリーレースによって達成される。
【０００７】
表糸および裏糸のそれぞれの下糸部分を単位模様の軸線を横切るようにジグザグ形状に配置すれば、単位模様をその軸線方向に引張った場合にジグザグ形状に配置した下糸部分が直線に近づくように変形することにより、単位模様自体がその軸線方向に伸びることができるようになり、その結果単位模様の連続集合体である模様部分が外力に応じて変形しやすくなる。
この単位模様の伸びをより効果的にするためには、前記ジグザグ形状に配置された下糸部分の隣接する２辺のなす角度を６０°以下、すなわちジグザグ形状の直線への伸び代を大きくすることが好ましい。
【０００８】
前記下糸部分のジグザグ形状配置はししゅう工程の性格上表糸および裏糸の双方に対して同時に行われる。その際表糸および裏糸の双方に通常の伸縮性を有するししゅう糸を用いてもよく、又表糸および裏糸の何れか一方にししゅうする時には伸縮性が抑制され、その後の染色整理加工時の処理によって伸縮性を発揮するししゅう糸を用いてもよい。
【０００９】
しかし得られたエンブロイダリーレースの伸縮性とコストを総合的に評価すれば、前記表糸として通常の伸縮性を有するししゅう糸を用い、一方ししゅうする時には伸縮性が抑制され、その後の染色整理加工時の処理によって伸縮性を発揮する糸を裏糸として用い、表糸及び裏糸の下糸部分を単位模様の軸線を横切るようにジクザグ形状に配置してエンブロイダリーレースを形成するとより実用的であって好ましい。
【００１０】
本発明による伸縮性を有するエンブロイダリーレースの好ましい製造方法は、合成繊維マルチフィラメントとポリウレタン糸を用いてエンブロイダリーレースのレース生地用パワーネットを編成してエンブロイダリーレース機に仕掛け、該エンブロイダリーレース機に通常の伸縮性を有するししゅう糸を表糸として供給し、一方ししゅうする時には伸縮性が抑制され、その後の染色整理加工時の処理によって伸縮性を発現するししゅう糸を裏糸として供給し、所望のパターンに基づいて、複数の単位模様の連続集合体である模様部分をししゅうし、該ししゅう工程において、単位模様をししゅうする際に表糸及び裏糸のそれぞれについて前記単位模様の軸線を横切るようにジグザグ形状に移動させながら単位模様の一端から他端に向けて単位模様の芯部となる下糸部分を形成させ、ついで該下糸部分をおおうように所望のパターンに基づいて表糸及び裏糸を移動させながら前記下糸部分形成時とは逆の方向で単位模様の前記他端から前記当初の一端に向けて単位模様の表面部となる上糸部分を形成させて１単位の単位模様をししゅうし、該単位模様のししゅうを所望のパターンに基づいて所定の個数形成してししゅう生地を作成し、該ししゅう生地に所望の染色整理を施して裏糸に伸縮性を発現させることを特徴とする。
【００１１】
【発明の実施の形態】
本発明の伸縮性を有するエンブロイダリーレースでは伸縮性を有するレース生地を用いることが前提条件となる。このようなレース生地としてはししゅう加工が可能で、すなわち多孔性であって伸縮性を有する生地であれば良く、各種の生地を用いることができる。この種レース生地として例えばナイロンマルチフィラメント３０ｄとポリウレタン７０ｄを用いて経編機で編成された目付１００ｇ／ｍ2 程度のパワーネットが広く用いられる。
【００１２】
ししゅう糸としては通常の伸縮性を有するししゅう糸又は潜在伸縮糸、すなわちししゅうする時には伸縮性が抑制され、その後の染色整理加工時の処理によって伸縮性を発現する糸を用いることができる。
前者の通常の伸縮性を有するししゅう糸としては、ビスコースレーヨン糸の１２０ｄ／２，１５０ｄ／２、ポリアミドマルチフィラメント糸１００ｄ／２，１５０ｄ／２、ポリエステルマルチフィラメント糸１２０ｄ／２、および綿糸３０ｓ／２〜１００ｓ／２等が好んで用いられるが、但しこれらの糸に限定されるものではない。なおこゝに云う通常の伸縮性とはスパンデックス糸との対比での表現であって、例えばビスコースレーヨン糸本来の伸び特性は有するが、ゴム糸状の伸縮性は有しない糸という意味である。
【００１３】
潜在伸縮糸としては例えば特開平２−１４０６１号公報に開示されているように、水溶性繊維糸に弛緩状態の伸縮弾性糸をドラフトすることなく引揃え、その上に非水溶性繊維糸をスパイラル状に巻付ける糸を用いることができる。又本出願と同一の出願人が平成７年１０月１９日に特願平０７−２７１１９４として出願したエンブロイダリーレース用複合ししゅう糸、すなわち水を含む溶剤又は熱によって溶解又は分解させることができる非伸縮性糸から成るくさり編み糸と、そのくさり編み糸の長手方向に沿ってくさり編み糸の中に挿入された少くとも１本の伸縮性糸から成る挿入糸で構成されている複合ししゅう糸を用いることができる。
【００１４】
本発明のエンブロイダリーレースは公知の通常のししゅう機を用いて製造することができる。すなわち繊維学会編集、丸善株式会社が昭和６１年１月２０日に第２版として発行した「繊維便覧加工編」５２３頁〜５２７頁に記載されているように、使用目的に応じて決定された模様部分に基づいてデザイン（意匠図）を作成し、このデザインからたてよこ６倍に拡大した図を描き、この拡大図に基づいてパンチングマシンによってパンチカード、具体的にはししゅう量に応じてその長さが決まるエンドレスのパンチテープとして作られたパンチカードを作成する。このパンチカードには前述の表糸及び裏糸の下糸部分と上糸部分の配置が記録されている。このパンチカードをししゅう機に仕掛けることによって所定の構成の模様部分を有するエンブロイダリーレースの生地が作られる。
【００１５】
以下本発明を含むエンブロイダリーレースの一例を示す添付図面を参照して本発明のエンブロイダリーレースを詳述する。
図１はエンブロイダリーレースの一例を示す平面図である。図１において、エンブロイダリーレース１はレース生地２とレース生地２にししゅう糸を所望のパターンでししゅうすることによって形成される模様部分３から成る。
図２はエンブロイダリーレースにおけるししゅう糸の固定方法を説明するエンブロイダリーレースの断面図であり、表糸の下糸部分５はししゅう針でレース生地２を貫通してレース生地２の下方に突出してループを形成し、このループは裏糸の下糸部分９に本縫い構造で拘束される。図３で詳述するようにししゅうによる模様は同一の表糸の下糸部分の上に下糸部分をおおうよう上糸部分を配置することによって形成される。そこで表糸の上糸部分７も又ししゅう針でレース生地２を貫通してレース生地２の下方に突出してループを形成し、このループは裏糸の上糸部分１０に本縫い構造で拘束される。
図１において参照番号４で示す部分は模様部分３の単位模様であり、図１に例示するように模様部分３は単位模様４の連続集合体として形成される。例えば模様部分をバラの小枝１本とすればバラの花の個々の花弁、枝、枝についた葉等は単位模様に相当する。レース生地にはこの単位模様毎にししゅうを行い、それら単位模様が集って模様部分が形成されることになる。
【００１６】
次に単位模様の形成方法を図３及び図４に基づいて以下説明する。図３は従来公知のエンブロイダリーレースの単位模様４を示し、図４は例示として示す本発明のエンブロイダリーレースの単位模様１４を示す。但し図３および図４は共に表糸の下糸部分および上糸部分のみ示し、裏糸の下糸部分および上糸部分は図２で示すように表糸の下糸部分および上糸部分と同じ移動を行って表糸の下糸部分および上糸部分を拘束するので、図面を簡略化するために、裏糸の下糸部分および上糸部分は図示していない。又図３及び図４において（Ａ）は表糸の下糸部分の配置のみ示し、（Ｂ）は表糸の上糸部分の配置のみを示す。上糸部分の配置は下糸部分の配置に続けて行われるので表糸の実際の配置は（Ｃ）に示す如く（Ａ）と（Ｂ）を重合せたものになる。
図３（Ａ）に示すように、従来公知のエンブロイダリーレースの表示の下糸部分５は矢印６で示す如く単位模様４の軸線Ｘ−Ｘ′に沿って点５ａからレース生地にししゅうされ、複数列（この場合は３列）の平行糸列を配置した後、順次下流側の平行糸列に移動して点５ｂに達する。次に下糸部分５を形成した表糸は図３（Ｂ）に示すように、点７ａから矢印８で示す如くジグザグに配置されて点５ａに対応する点７ｂに達して上糸部分７を形成する。表糸は次に隣接する他の単位模様の形成に進む。このようにして図３（Ｃ）に示す単位模様を形成する。
【００１７】
単位模様４を形成するに際して図３（Ａ）に示すように単位模様の軸線方向に沿って平行に複数列の表糸を下糸部分として配列するのはししゅう技術において旧来から行われていることであって、このように複数列（単位模様の形状によっては一列でもよい）平行配置によって単位模様の芯部を形成すれば、その後に形成される表糸の上糸部分によって形成される表面部分にボリューム感を与えることができると共に単位模様の模様ぐずれを防止して模様の安定性を高めるのに役立つ。
しかしながら、図３（Ａ）から明らかな如く、表糸の下糸部分５が単位模様の軸線Ｘ−Ｘ′に平行に配置されているために単位模様の軸線Ｘ−Ｘ′の方向での伸縮性が極めて乏しくなり、例え裏糸に潜在伸縮性糸を用いたとしてもエンブロイダリーレースに要望される充分な伸縮性を与えることができない。
【００１８】
そこで本発明のエンブロイダリーレースでは図４（Ａ）に示すように単位模様１４の表糸の下糸部分１５を単位模様１４の軸線Ｘ−Ｘ′を横切るようにジグザグ形状に点１５ａから点１５ｂに向けて矢印１６の方向で配置し、その上で図４（Ｂ）に示すように表糸の上糸部分１７を点１７ａから点１７ｂに向けて矢印１８の方向で形成し、その結果図４（Ｃ）に示すように共に単位模様１４の軸線Ｘ−Ｘ′を横切るような下糸部分の芯部と上糸部分の表面部を形成したため、この単位模様は全方向に向っての優れた伸縮性を保持することができる。
下糸部分１５の配置は図４（Ａ）に示すように山形の連続配置のジグザグ形状に限定されるものではなく、軸線方向Ｘ−Ｘ′を横切るものであれば任意の形状を用いることができ、例えば図５に示すように傾斜したジグザグ形状の下糸部分２０を点２０ａから点２０ｂに向けて矢印２１に示すように形成して単位模様を形成してもよい。
下糸部分１５又は２０をししゅうするに際してそのジクザク形状の幅ｌ又はｌ′はレース生地２の３ウエール以上（２５ウエールのパワーネットの場合で３コース以上）にすることが好ましい。３ウエール以下の場合はレース生地が伸びた場合にししゅう糸のジグザグ形状配置を相殺するので効果が乏しくなる。
なお単位模様の軸線Ｘ−Ｘ′は図４に示す単位模様では直線であるが図１で１９で示す単位模様では曲線となる。
【００１９】
伸縮性を有するエンブロイダリーレースは前述のようにブラジャー等の下着分野で広く用いられ、且つ要望する伸縮性の値も益々高くなっており、ある分野では静置したエンブロイダリーレースを基準として、少くとも１．７倍、好しくは２倍の伸縮性が要望されている。そこでこの要望を満たすためには、図４（Ａ）に示すようにジグザグ形状に配置された下糸部分の隣接する２辺がなす角度をθとすると、θを７０°以下、好ましくは６０°以下にすればよい。
【００２０】
本発明のエンブロイダリーレースを製造するにはししゅう機において単位模様を形成する際に、表糸及び裏糸を前記単位模様の軸線を横切るようにジグザグ形状に移動させながら単位模様の一端から他端に向けて単位模様の芯部となる下糸部分を形成すればよい。この作業はパンチングマシンでパンチカードを作成する際にししゅう針の移動を下糸部分の形成に際してジグザグ運動するようにすればよい。
【００２１】
【実施例】
本発明の伸縮性を有するエンブロイダリーレースの実施例を以下説明する。
実施例１
ナイロンマルチフィラメント３０ｄとポリウレタン７０ｄを用いて目付１００ｇ／ｍ2 のパワーネットを編成してレース生地とした。
表糸のししゅう糸としてはビスコースレーヨン糸１５０ｄ／２を用いた。一方２枚筬のラッセル経編機のフロント側に水溶性ビニロン糸５６ｄを供給してくさり編（度目は２．５４cm当り５０）を編成し、同時にナイロンマルチフィラメント７０ｄ／２の強撚糸（上撚４０００Ｔ／Ｍ）をバック側に挿入糸として供給して複合糸を得、この糸を裏糸として用いた。
図４（Ａ）に示すような連続山形で且つθが６０°になるようにししゅう針の運動が下糸部分に対して規定されたパンチカードを用意し、このパンチカードを用いて図１に示す模様部分を有するエンブロイダリーレースを製造した。このししゅう生地を精練して仕上剤を付与して裏糸中の水溶性ビニロン糸を除去して製品としてのエンブロイダリーレースを得た。このエンブロイダリーレースの模様部分の伸びは約２倍であった。
【００２２】
【発明の効果】
本発明のエンブロイダリーレースでは模様部分の下糸部分がそれぞれの単位模様の軸線方向を横切るようにジグザグ形状に配置されているので、表糸及び／又は裏糸に潜在伸縮糸を用いなくても優れた伸縮性を有するエンブロイダリーレースを得ることができる。
【図面の簡単な説明】
【図１】エンブロイダリーレースの一例を示す平面図である。
【図２】ししゅう糸の固定方法を説明するエンブロイダリーレースの略示断面図。
【図３】従来公知のエンブロイダリーレースにおける単位模様の形成方法を説明する略示平面図であって、図３（Ａ）は表糸の下糸部分を示す図、図３（Ｂ）は表糸の上糸部分を示す図、図３（Ｃ）は図３（Ａ）と図３（Ｂ）を組合せた表糸の実際の配置を示す図である。
【図４】本発明のエンブロイダリーレースの一例として示す単位模様の形成方法を説明する略示平面図であって、図４（Ａ）は表糸の下糸部分を示す図、図４（Ｂ）は表糸の上糸部分を示す図、図４（Ｃ）は図４（Ａ）と図４（Ｂ）を組合せた表糸の実際の配置を示す図である。
【図５】本発明のエンブロイダリーレースの他の一例として示す単位模様の形成方法を説明する略示平面図であって、図４（Ａ）に対応する表糸の下糸部分を示す図。
【符号の説明】
１…エンブロイダリーレース
２…レース生地
３…模様部分
４，１１，１４，１９…単位模様
５，１５，２０…表糸の下糸部分
７…表糸の上糸部分
９…裏糸の下糸部分
１０…裏糸の上糸部分
Ｘ−Ｘ′…単位模様の軸線
【図１】
0003821513.tif 000002
【図２】
0003821513.tif 000003
【図３】
0003821513.tif 000004
【図４】
0003821513.tif 000005
【図５】
0003821513.tif 000006